【手続補正書】
【提出日】平成16年7月30日(2004.7.30)
【手続補正１】
【補正対象書類名】明細書
【補正対象項目名】特許請求の範囲
【補正方法】変更
【補正の内容】
【特許請求の範囲】
【請求項１】
液滴が吐出される複数の吐出口に連通する記録液流路の上流にあって、前記記録液流路に記録液を供給する記録液供給通路が形成されている流路形成部材と、前記記録液供給通路の上流にあって前記記録液供給通路に供給される記録液を収容する共通液室が形成されている記録液貯蔵部材と、外部から前記共通液室内へ記録液を供給するためのジョイントである一対の栓部材と、前記共通液室から前記記録液供給通路へと供給される記録液中の塵埃等を除去するための多孔質部材と、を有する液体噴射記録ヘッドにおいて、
前記一対の栓部材は、前記共通液室の内部の空気を排出するための排出通路となる上栓部材と、外部からの記録液を供給するための供給通路となる下栓部材とからなり、
前記液体噴射ヘッドの使用状態において、前記多孔質部材が、前記共通液室の底面部よりも上方に突出した前記流路形成部材の先端部に配置されており、
前記多孔質部材から前記記録液貯蔵部材の側面に設けられた前記下栓部材までの距離が、前記多孔質部材から前記下栓部材が設けられた前記側面に対向する面までの距離よりも短いことを特徴とする液体噴射記録ヘッド。
【請求項２】
記録液を吐出するための複数の記録素子が設けられた記録素子基板と、前記記録素子基板に外部から記録信号を与えるための配線基板と、前記記録素子基板に記録液を供給するための記録液供給通路が形成される流路形成部材と、記録液中の塵埃等を除去するための多孔質部材とを有する記録ユニット部に対して、前記記録液供給通路に供給される記録液を収容するための共通液室を有する記録液貯蔵部材と、外部から前記共通液室内へ記録液を供給するためのジョイントである一対の栓部材と、を有する記録液貯蔵ユニット部が接合されてなる液体噴射記録ヘッドにおいて、
前記一対の栓部材は、前記共通液室の内部の空気を排出するための排出通路となる上栓部材と、外部からの記録液を供給するための供給通路となる下栓部材とからなり、
前記液体噴射ヘッドの使用状態において、前記多孔質部材が、前記共通液室の底面部よりも上方に突出した前記流路形成部材の先端部に配置されており、
前記多孔質部材から前記記録液貯蔵部材の側面に設けられた前記下栓部材までの距離が、前記多孔質部材から前記下栓部材が設けられた前記側面に対向する面までの距離よりも短いことを特徴とする液体噴射記録ヘッド。
【請求項３】
前記一対の栓部材は、外部から前記共通液室内へ記録液を供給可能な状態である記録液供給状態および外部から前記共通液室内への記録液の供給がなされない状態である記録液非供給状態との切換えに対応可能な弾性体である請求項１または２に記載の液体噴射ヘッド。
【請求項４】
前記底面部から前記多孔質部材までの高さが、少なくとも、前記底面部から前記下栓部材までの高さより高い、請求項１から３のいずれか１項に記載の液体噴射記録ヘッド。
【請求項５】
記録媒体に対して記録液を噴射して記録を行う液体噴射記録装置において、
請求項１から４のいずれか１項に記載の液体噴射記録ヘッドを着脱自在に搭載するキャリッジと、
前記キャリッジ外に設けられ、前記液体噴射記録ヘッドの前記共通液室に供給するための記録液を貯蔵している記録液貯蔵タンクと、
前記記録液貯蔵タンク内に貯蔵されている記録液を前記栓部材のいずれか一方を介して前記共通液室内に供給する供給手段とを有することを特徴とする液体噴射記録装置。
【手続補正２】
【補正対象書類名】明細書
【補正対象項目名】００５４
【補正方法】変更
【補正の内容】
【００５４】
【課題を解決するための手段】
上記目的を達成するため本発明の液体噴射記録ヘッドは、液滴が吐出される複数の吐出口に連通する記録液流路の上流にあって、前記記録液流路に記録液を供給する記録液供給通路が形成されている流路形成部材と、前記記録液供給通路の上流にあって前記記録液供給通路に供給される記録液を収容する共通液室が形成されている記録液貯蔵部材と、外部から前記共通液室内へ記録液を供給するためのジョイントである一対の栓部材と、前記共通液室から前記記録液供給通路へと供給される記録液中の塵埃等を除去するための多孔質部材と、を有する液体噴射記録ヘッドにおいて、前記一対の栓部材は、前記共通液室の内部の空気を排出するための排出通路となる上栓部材と、外部からの記録液を供給するための供給通路となる下栓部材とからなり、前記液体噴射ヘッドの使用状態において、前記多孔質部材が、前記共通液室の底面部よりも上方に突出した前記流路形成部材の先端部に配置されており、前記多孔質部材から前記記録液貯蔵部材の側面に設けられた前記下栓部材までの距離が、前記多孔質部材から前記下栓部材が設けられた前記側面に対向する面までの距離よりも短いことを特徴とするものである。
【手続補正３】
【補正対象書類名】明細書
【補正対象項目名】００５５
【補正方法】変更
【補正の内容】
【００５５】
また、上記目的を達成するため本発明の液体噴射記録ヘッドは、記録液を吐出するための複数の記録素子が設けられた記録素子基板と、前記記録素子基板に外部から記録信号を与えるための配線基板と、前記記録素子基板に記録液を供給するための記録液供給通路が形成される流路形成部材と、記録液中の塵埃等を除去するための多孔質部材とを有する記録ユニット部に対して、前記記録液供給通路に供給される記録液を収容するための共通液室を有する記録液貯蔵部材と、外部から前記共通液室内へ記録液を供給するためのジョイントである一対の栓部材と、を有する記録液貯蔵ユニット部が接合されてなる液体噴射記録ヘッドにおいて、前記一対の栓部材は、前記共通液室の内部の空気を排出するための排出通路となる上栓部材と、外部からの記録液を供給するための供給通路となる下栓部材とからなり、前記液体噴射ヘッドの使用状態において、前記多孔質部材が、前記共通液室の底面部よりも上方に突出した前記流路形成部材の先端部に配置されており、前記多孔質部材から前記記録液貯蔵部材の側面に設けられた前記下栓部材までの距離が、前記多孔質部材から前記下栓部材が設けられた前記側面に対向する面までの距離よりも短いことを特徴とするものである。
【手続補正４】
【補正対象書類名】明細書
【補正対象項目名】００５６
【補正方法】変更
【補正の内容】
【００５６】
上記の通りのこれら本発明の液体噴射記録ヘッドは、外部から共通液室内へ記録液が供給されることで共通液室内の記録液が撹拌されて多孔質部材の表面に堆積された記録液の色素や塵埃などが記録液の流れに乗って移送された際、多孔質部材の表面から離間して、記録液中に再び浮遊したり、共通液室の底面部へ向けて落下することとなるが、多孔質部材が共通液室の底面部よりも上方に突出した流路形成部材の先端部に配置されているため、共通液室の底面部に堆積した色素や塵埃などが再び多孔質部材の表面に堆積しにくい、すなわち、多孔質部材が目詰まりしにくい構成となっている。
【手続補正５】
【補正対象書類名】明細書
【補正対象項目名】００５７
【補正方法】削除
【補正の内容】
【手続補正６】
【補正対象書類名】明細書
【補正対象項目名】００５８
【補正方法】削除
【補正の内容】
【手続補正７】
【補正対象書類名】明細書
【補正対象項目名】００５９
【補正方法】変更
【補正の内容】
【００５９】
さらに、本発明の液体噴射ヘッドは、多孔質部材から記録液貯蔵部材の側面に設けられた下栓部材までの距離が、多孔質部材から下栓部材が設けられた側面に対向する面までの距離よりも短いものであって、記録液の流れの勢いがある領域に多孔質部材が位置しているため、多孔室部材の表面上の色素や塵埃を効率よく除去できる。
【手続補正８】
【補正対象書類名】明細書
【補正対象項目名】００６１
【補正方法】削除
【補正の内容】
【手続補正９】
【補正対象書類名】明細書
【補正対象項目名】０２１０
【補正方法】変更
【補正の内容】
【０２１０】
【発明の効果】
以上説明したように本発明によれば、多孔質部材が共通液室の底面部よりも上方に突出した流路形成部材の先端部に配置されているため、共通液室内の記録液が撹拌されて多孔質部材の表面に堆積された記録液の色素や塵埃などが記録液の流れに乗って移送され、共通液室の底面部に堆積した色素や塵埃などが再び多孔質部材の表面に堆積しにくい構成となっている。すなわち、本発明によれば、多孔質部材の目詰まりにより、記録液が吐出口部まで到達できなくなり、液体噴射記録ヘッドの吐出口から記録液が吐出されずに記録ができないといったことを防止できる。さらに、多孔質部材から記録液貯蔵部材の側面に設けられた下栓部材までの距離が、多孔質部材から下栓部材が設けられた側面に対向する面までの距離よりも短いものであって、記録液の流れの勢いがある領域に多孔質部材が位置しているため、多孔室部材の表面上の色素や塵埃を効率よく除去できる。